(57)【要約】【課題】従来は給湯装置の給湯温度を屋内に固定したリモコンによって行っていたが、携帯通信端末をリモコンとして機能させるものが知られている。ただし、このものでは携帯通信端末を単に新たなリモコンとして機能させるものであって、給湯温度の変更操作は携帯通信端末の画面に対して行わなければならない。【解決手段】外部の携帯通信端末との通信を行い、この携帯通信端末内に記憶されている設定データを読み込んで、上記リモコンによって変更される設定値を設定データで上書きする設定データ変更部を備え、家屋内に予め設定した基準点と上記携帯通信端末との距離が所定の距離以下になると、上記設定データ変更部部はその携帯通信端末と自動的に通信を行って携帯通信端末内の設定データを読み込む。【選択図】  図１
2019203678.tif 000002
【特許請求の範囲】
【請求項１】
少なくとも給湯装置の給湯温度の設定値を変更可能なリモコンを備えた浴室装置において、外部の携帯通信端末との通信を行い、この携帯通信端末内に記憶されている設定データを読み込んで、上記リモコンによって変更される設定値を設定データで上書きする設定データ変更部を備え、家屋内に予め設定した基準点と上記携帯通信端末との距離が所定の距離以下になると、上記設定データ変更部部はその携帯通信端末と自動的に通信を行って携帯通信端末内の設定データを読み込むことを特徴とする浴室装置。
【請求項２】
上記携帯通信端末内に記憶されている設定データは上記給湯装置の給湯温度に関する設定データであることを特徴とする請求項１に記載の浴室装置。
【請求項３】
上記設定データ変更部は、上記基準点との距離が上記所定の距離以下にある携帯通信端末が複数個存在する状態で、基準点との距離が最も短い携帯通信端末内に設定されている設定データを読み込むことを特徴とする請求項１または請求項２に記載の浴室装置。
【請求項４】
浴室内に設置された風呂リモコンを備え、この風呂リモコンに設けられた優先スイッチが操作され、風呂リモコンから設定された給湯温度が優先されている状態で携帯通信端末が上記基準点に所定の距離以下に近づくと、上記設定データ変更部はその携帯通信端末内に設定されている設定データの内、給湯温度に関する設定データを読み込んで、上記風呂リモコンによって設定された給湯温度に対して優先して給湯温度を設定することを特徴とする請求項１から請求項３のいずれかに記載の浴室装置。
【請求項５】
上記風呂リモコンの優先スイッチが操作されている状態で給湯温度が上記携帯通信端末内に設定されている給湯温度に変更されると、給湯温度が携帯通信端末内に設定された給湯温度に変更された旨を報知する報知手段を上記風呂リモコンに設けたことを特徴とする請求項４に記載の浴室装置。
【発明の詳細な説明】
【技術分野】
【０００１】
本発明は、台所リモコンや風呂リモコンから給湯温度の設定が可能な給湯装置や浴室内の音楽の音量や照明の状態を変更する浴室装置に関する。
【背景技術】
【０００２】
浴室内に給湯する給湯装置は一般的に屋外に設置されているので、給湯温度の変更などの操作は屋内に設置された台所リモコンや風呂リモコンから行われる。なお、給湯装置の給湯温度などの変更操作はこれら屋内に固定されているリモコンから行う構成に限定されず、タブレット端末やスマートフォンなどの携帯通信端末から行うように構成してもよい。この場合、携帯通信端末との通信を行う通信部を給湯装置側に新たに設ける必要はあるが、この携帯通信端末は台所リモコンと同様に機能し、風呂リモコンで優先スイッチが操作されている状態では携帯通信端末からの給湯温度の変更操作は受け付けられないように設定されている（例えば、特許文献１参照）。なお、浴室内で設定変更するパラメータはこのような給湯温度の他に、音楽を流す場合には音量や照明の明るさ等がある。
【先行技術文献】
【特許文献】
【０００３】
【特許文献１】特開２０１４−２３４９９０号公報（段落[００２７]）
【発明の概要】
【発明が解決しようとする課題】
【０００４】
上記従来の給湯装置では、風呂リモコンや台所リモコンといった従来から屋内に固定されているリモコンに対して携帯通信端末を新たなリモコンとして追加する構成であるため、携帯通信端末をリモコンとして機能させる場合には、携帯通信端末にインストールした専用のアプリケーションを起動させ、携帯通信端末の画面に表示させたリモコン画面から能動的に給湯温度の設定操作をする必要があり、単に携帯式のリモコンが増設されたにすぎない。
【０００５】
従って、浴室を複数人で順次使用する場合に、各人の好みの給湯温度が異なる場合には、従来の台所リモコンや風呂リモコンと同様に携帯通信端末で給湯温度を各自の好みの給湯温度に設定する操作を行わなければならない。
【０００６】
そこで本発明は、上記の問題点に鑑み、給湯温度の設定操作を行わなくても給湯温度を自動的に好みの給湯温度に変更し、あるいは音量や照明の状態を調節することのできる浴室装置を提供することを課題とする。
【課題を解決するための手段】
【０００７】
上記課題を解決するために本発明による浴室装置は、少なくとも給湯装置の給湯温度の設定値を変更可能なリモコンを備えた浴室装置において、外部の携帯通信端末との通信を行い、この携帯通信端末内に記憶されている設定データを読み込んで、上記リモコンによって変更される設定値を設定データで上書きする設定データ変更部を備え、家屋内に予め設定した基準点と上記携帯通信端末との距離が所定の距離以下になると、上記設定データ変更部部はその携帯通信端末と自動的に通信を行って携帯通信端末内の設定データを読み込むことを特徴とする。
【０００８】
近年ではスマートフォンなどの携帯通信端末は各自が所持している場合が多く、各自の携帯通信端末内に好みの設定データを記憶させておけば、基準点に近づくだけで自動的に浴室内での環境が好みの環境にセットされる。
【０００９】
なお、例えば上記携帯通信端末内に記憶されている設定データは上記給湯装置の給湯温度に関する設定データである。
【００１０】
上記設定データ変更部は、上記基準点との距離が上記所定の距離以下にある携帯通信端末が複数個存在する状態で、基準点との距離が最も短い携帯通信端末内に設定されている設定データを読み込む。
【００１１】
また、浴室内に設置された風呂リモコンを備え、この風呂リモコンに設けられた優先スイッチが操作され、風呂リモコンから設定された給湯温度が優先されている状態で携帯通信端末が上記基準点に所定の距離以下に近づくと、上記設定データ変更部はその携帯通信端末内に設定されている設定データの内、給湯温度に関する設定データを読み込んで、上記風呂リモコンによって設定された給湯温度に対して優先して給湯温度を設定することが望ましい。
【００１２】
ただし、上記風呂リモコンの優先スイッチが操作されている状態で給湯温度が上記携帯通信端末内に設定されている給湯温度に変更されると、給湯温度が携帯通信端末内に設定された給湯温度に変更された旨を報知する報知手段を上記風呂リモコンに設けることが望ましい。
【発明の効果】
【００１３】
以上の説明から明らかなように、本発明は、携帯通信端末が基準点に近づくだけで、給湯装置による給湯温度が携帯通信端末内に設定している給湯温度に変更され、あるいは音響装置の音量や照明装置の照明状態が好みの状態に自動的に変更されるので、能動的な操作を行う必要がなく、例えば基準点を浴室近くに設定しておけば、入浴時に浴室内の環境を好みの環境にすることができる。
【図面の簡単な説明】
【００１４】
【図１】給湯装置が設置されている家屋の見取り図
【図２】風呂リモコンの正面図
【図３】台所リモコンの正面図
【図４】携帯通信端末との自動通信によって給湯温度を変更する際のフロー図
【発明を実施するための形態】
【００１５】
図１を参照して、Ｈは本発明による給湯装置１が設置されている家屋であり、この家屋Ｈの外壁に給湯装置１が取り付けられている。給湯装置１が屋外に設置されているため、この給湯装置１から台所ＫＴや浴室ＢＲに給湯する給湯温度は、浴室ＢＲに設けた風呂リモコン２や台所ＫＴに設けた台所リモコン３によって行われる。なお、これら風呂リモコン２および台所リモコン３は本実施の形態では有線によって給湯装置１に接続されているが、電波を介した無線接続であってもよい。
【００１６】
図２を参照して、この風呂リモコン２には電源スイッチ２１が設けられており、この電源スイッチ２１が押し操作されると給湯装置１に電源が入り給湯可能状態になる。給湯温度は給湯温度設定スイッチ２２によって行われる。また、浴室ＢＲには通常シャワーが設けられており、シャワーからの温水を浴びている途中で給湯温度が変更されることを防止するため、優先スイッチ２３が設けられている。この優先スイッチ２３が押し操作されると、他のリモコンである台所リモコン３による給湯温度の変更操作が受け付けられなくなる。なお、種々のメッセージを発音するためのスピーカ２４が設けられている。
【００１７】
図３を参照して、台所リモコン３には電源スイッチ３１と給湯温度設定スイッチ３２とは設けられているが、上記の優先スイッチ２３と同様の機能を備えた優先スイッチは設けられていない。
【００１８】
図１に戻り、本発明では浴室ＢＲに隣接する脱衣室ＤＲに基準点４を設定した。この基準点４にクレードルなどの携帯通信端末を直接載置する装置を設け、その装置上に載置された携帯通信端末内に格納されている給湯温度データを読み込むようにしてもよいが、本実施の形態では、この基準点４を中心とした検知範囲５を設定することとした。
【００１９】
一方、携帯通信端末６Ａ，６Ｂには給湯温度設定用のアプリケーションを事前にインストールしておき、そのアプリケーションによって好みの給湯温度を予め設定しておく。そして、上記検知範囲５内に携帯通信端末６Ａが進入してくると、その進入してきた携帯通信端末６Ａ内に設定されている給湯温度データを読み込んで、給湯装置１の給湯温度を変更するようにした。具体的には、基準点４にブルートゥース（登録商標：ｂｌｕｅｔｏｏｔｈ）を用いた通信ステーションを設置して、その通信ステーションと各携帯通信端末とが行う無線通信の電波の強度によって通信ステーションと各携帯通信端末との距離を求めるようにすることが考えられる。あるいは、各携帯通信端末が備えるＧＰＳ機能を用いて各携帯通信端末が検知範囲５内に存在するか否かを判断するようにしてもよい。なお、図１に示した例では、検知範囲５内に１個の携帯通信端末６Ａが存在しているが、複数個の携帯通信端末が検知範囲５内に存在する場合には、基準点４に最も近い携帯通信端末内の給湯温度データを読むようにする。
【００２０】
図４を参照して、風呂リモコン２の電源スイッチ２１もしくは台所リモコン３の電源スイッチ３１が押し操作されると、最初に風呂リモコン２の優先スイッチ２３がオンになっっているかを判断する（Ｓ１）。この時点で優先スイッチ２３がオンになっていれば台所リモコン３による給湯温度の変更操作の受け付けを禁止し（Ｓ２）、優先スイッチ２３がオンになってなければ台所リモコン３による給湯温度の変更操作の受け付けを可能状態にして（Ｓ３）、共に続けて携帯通信端末が検知範囲５内に存在するかを判断する（Ｓ４）。
【００２１】
上記図１に示す実施の形態では、検知範囲５内に１個の携帯通信端末６Ａが存在するので、台所リモコン３による給湯温度の変更操作の受け付けを禁止して（Ｓ６）、携帯通信端末６Ａ内に設定されている給湯温度のデータを読み出して、給湯装置１における実際の給湯温度をその読み出した給湯温度データの給湯温度に変更する（Ｓ７）。
【００２２】
この時点で風呂リモコン２の優先スイッチ２３がオンになっていれば、入浴者に給湯温度が変更されたことを知らせる必要があるので、風呂リモコン２のスピーカ２４からブザー音を発音させて給湯温度が変更された旨を知らせるようにした（Ｓ９）。
【００２３】
なお、このブザー音による報知は給湯温度が変更された際に１度鳴れば十分であるので、検知範囲５から携帯通信端末が出て行くまで連続してブザー音が発音されないようにした（Ｓ５，Ｓ８，Ｓ１０）。
【００２４】
ところで、上記実施の形態では、給湯温度を自動的に変更する形態について説明したが、浴室ＢＲ内に音響装置からの音楽を発音する音響スピーカや照明装置に調光装置が付帯されている場合に、これら音響装置の音量や調光装置による調光状態に対応する設定データを携帯通信端末内に記憶させておき、給湯温度データと同様にこれらの設定データを読み込んで、音量や調光状態を自動的に変更するように構成してもよい。
【００２５】
なお、本発明は上記した形態に限定されるものではなく、本発明の要旨を逸脱しない範囲内において種々の変更を加えてもかまわない。
【符号の説明】
【００２６】
１ 給湯装置
２ 風呂リモコン
３ 台所リモコン
４ 基準点
５ 検知範囲
６Ａ 携帯通信端末
６Ｂ 携帯通信端末
【図１】
2019203678.tif 000003
【図２】
2019203678.tif 000004
【図３】
2019203678.tif 000005
【図４】
2019203678.tif 000006